(57)【要約】【課題】本発明は、固定配置される読み取り手段で搬送される原稿の画像を読み取る画像読み取り装置に関する。【解決手段】デジタル複写装置１は、原稿Ｇが搬送されるコンタクトガラス４１の平坦面に、所定幅を有する所定高さの凸部が主走査方向に所定長さにわたって形成されていて、該搬送される原稿Ｇが凸部７０を乗り越えてコンタクトガラス４１の平坦面に接触するまでの間の原稿浮き上がり領域を原稿読取位置Ｐとする状態で密着型イメージセンサが配置されている。したがって、原稿Ｇの読取面の汚れ等の異物を凸部７０で削り取って清浄な状態で原稿Ｇが原稿読取位置Ｐに搬送されるとともに異物が原稿読取位置Ｐに堆積したり付着することが防止され、読み取り画像の画像品質が向上される。【選択図】          図３
2009225203.tif 000002
【特許請求の範囲】
【請求項１】
原稿がその読み取り面が接する状態で搬送される平坦面を有する透明部材と、該原稿を該透明部材の該平坦面に接触させる状態で搬送する搬送手段と、該透明部材を挟んで該原稿と反対側に該原稿の搬送方向と直交する主走査方向に、少なくとも読み取り対象の原稿の最大幅以上の長さにわたって固定配置され、該搬送手段によって搬送移動される該原稿に対して所定の読み取り位置で該原稿の情報を読み取る読み取り手段と、を備えている画像読み取り装置において、前記透明部材は、前記原稿の接する前記平坦面に、所定幅を有する所定高さの凸部が主走査方向に所定長さにわたって形成され、前記読み取り手段は、前記搬送手段によって搬送される前記原稿が該凸部を乗り越えて該透明部材の該平坦面に接触するまでの原稿が浮き上がっている原稿浮き上がり領域を前記読み取り位置とする状態で配置されていることを特徴とする画像読み取り装置。
【請求項２】
前記透明部材上の前記凸部は、主走査方向に所定長さを有する複数の凸部が、前記原稿搬送方向に所定量位置ズレした状態で主走査方向に千鳥状に形成されており、前記読み取り手段は、該凸部の数だけの読み取り手段が、該各凸部の形成する前記原稿浮き上がり領域を前記読み取り位置とする状態で配置されていることを特徴とする請求項１記載の画像読み取り装置。
【請求項３】
前記凸部は、５μｍから１００μｍの範囲の高さに形成されていることを特徴とする請求項１または請求項２記載の画像読み取り装置。
【請求項４】
前記凸部は、前記原稿搬送方向上流側及び下流側の上部に角部を有する角帯形状に形成されていることを特徴とする請求項１から請求項３のいずれかに記載の画像読み取り装置。
【請求項５】
前記凸部は、少なくとも前記原稿搬送方向上流側に滑らかな傾斜面を有する丘陵形状に形成されていることを特徴とする請求項１から請求項３のいずれかに記載の画像読み取り装置。
【発明の詳細な説明】
【技術分野】
【０００１】
本発明は、画像読み取り装置に関し、詳細には、固定配置される読み取り手段で搬送される原稿の画像を読み取る画像読み取り装置に関する。
【背景技術】
【０００２】
原稿の画像を読み取る画像読み取り装置としては、原稿をコンタクトガラス上を搬送しつつ固定されている光学読み取り部で該搬送される原稿の画像を読み取る原稿移動型の画像読み取り装置があり、このような原稿移動型の画像読み取り装置は、光学読み取り部が固定されているため、該光学読み取り部による原稿読み取り位置に異物が滞留すると、該異物の画像が読み取り画像にスジ状の異常画像となって現れ、画質が悪化する。
【０００３】
そこで、従来、光学読み取り部としての密着型イメージセンサの原稿と接触する透明保護層の原稿読み取り位置を含む部位に溝を設けることで、原稿のインクが読み取り位置の該透明保護層に付着することを防止して、読み取り画像の画像品質の向上を図った技術が提案されている（特許文献１参照）。
【０００４】
また、従来、平坦な透明ガラスの原稿読み取り面に、所定幅の一様な凸構造を原稿搬送方向と直交する方向に設けるとともに、該凸構造よりも原稿挿入側に凹溝を該凸構造に平行に形成して、該凸構造の頂面の平坦部で原稿の画像を読み取るイメージセンサ装置が提案されている（特許文献２参照）。
【０００５】
この従来技術は、原稿のインクを凹溝と凸構造の麓部分でそぎ落として原稿読み取り位置の凸構造に付着するのを防止して、読み取り画像の画像品質の向上を図っている。
【０００６】
【特許文献１】特開昭６２−２６２５６３号公報
【特許文献２】特許第２８９７６９０号公報
【発明の開示】
【発明が解決しようとする課題】
【０００７】
しかしながら、上記従来技術にあっては、安価にかつ高精度に異物の影響を防止して、画像品質を向上させる上で、改良の必要があった。
【０００８】
すなわち、特許文献１記載の従来技術にあっては、読み取り位置に溝が形成されているため、該溝の角部で原稿上のインクや埃等の異物が削り取られて、返って該溝に異物が溜まりやすく、異常画像の発生を助長するおそれがあった。
【０００９】
また、特許文献２記載の従来技術にあっては、原稿読み取り面に凸構造を形成し、原稿挿入側に凹溝を形成して凹溝で原稿上のインクや埃等の異物を取り除くとともに、凸構造の麓で異物を取り除いているが、該凸構造の頂面の原稿読み取り面で原稿と該凸構造の頂面が接触しているため、原稿にゴミや未定着トナー等の異物がまだ付着していた場合には、凸構造の原稿読み取り面が汚れてしまい、異常画像発生のおそれを解消することができないだけでなく、該原稿読み取り面を汚さないためには、数多くの溝を設ける加工を行う必要があり、コストが高くつくという問題がある。
【００１０】
そこで、本発明は、原稿読み取り部材への加工工数を抑制しつつ、読み取り画像の画像品質を向上させることのできる画像読み取り装置を提供することを目的としている。
【課題を解決するための手段】
【００１１】
本発明の画像読み取り装置は、原稿がその読み取り面が接する状態で搬送される透明部材の平坦面に、所定幅を有する所定高さの凸部が主走査方向に所定長さにわたって形成され、該透明部材の原稿と反対側に配置されて、搬送移動される該原稿に対して所定の読み取り位置で該原稿面の情報を読み取る読み取り手段が、該平坦面上を搬送移動される原稿が該凸部を乗り越えて該透明部材の該平坦面に接触するまでの原稿が浮き上がっている原稿浮き上がり領域を読み取り位置とする状態で配置されていることを特徴としている。
【００１２】
また、本発明の画像読み取り装置は、前記透明部材上の前記凸部として、主走査方向に所定長さを有する複数の凸部が、前記原稿搬送方向に所定量位置ズレした状態で主走査方向に千鳥状に形成されていて、該凸部の数だけの読み取り手段が、該各凸部の形成する前記原稿浮き上がり領域を前記読み取り位置とする状態で配置されていることを特徴としている。
【００１３】
さらに、本発明の画像読み取り装置は、前記凸部が、５μｍから１００μｍの範囲の高さに形成されていることを特徴としている。
【００１４】
また、本発明の画像読み取り装置は、前記凸部が、前記原稿搬送方向上流側及び下流側の上部に角部を有する角帯形状、または、少なくとも前記原稿搬送方向上流側に滑らかな傾斜面を有する丘陵形状に形成されていることを特徴としている。
【発明の効果】
【００１５】
本発明の画像読み取り装置によれば、原稿が搬送される透明部材の平坦面に、所定幅を有する所定高さの凸部が主走査方向に所定長さにわたって形成されていて、該搬送される原稿が該凸部を乗り越えて該透明部材の該平坦面に接触するまでの間の原稿浮き上がり領域を読み取り位置とする状態で読み取り手段が配置されているので、原稿面上の汚れ等の異物を該凸部で削り取って清浄な状態で読み取り位置に搬送することができるとともに異物が該読み取り位置に堆積したり付着することを防止することができ、加工工数を削減してコストを安価なものとすることができるとともに、読み取り画像の画像品質を向上させることができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図５は、本発明の画像読み取り装置の第１実施例を示す図であり、図１は、本発明の画像読み取り装置の第１実施例を適用したデジタル複写装置１の正面概略構成図である。
【００１８】
図１において、デジタル複写装置１は、下部から、給紙ユニット２、画像形成ユニット３、画像読み取りユニット４及びＡＤＦ（Auto Document Feeder）５が順次積み重ねられた状態で配設されているとともに、図示しないが、操作表示部等を備えており、デジタル複合装置１の本体から側面に突出する状態で、手差しトレイ６及び原稿排紙トレイ７が設けられている。デジタル複合装置１には、ＰＢＸ（構内交換機）１００及びパーソナルコンピュータ等のデジタル複合装置１を利用する外部装置２００が接続されており、デジタル複合装置１は、上記各ユニット２〜５を利用して、画像読み取り機能、印刷機能、複写機能、ファクシミリ機能等の各機能を実行する。デジタル複合装置１は、ＰＢＸ１００を介して外部ファクシミリ装置との間で通信し、また、外部装置２００との間で通信して、画像データの送受信を行う。
【００１９】
給紙ユニット２は、複数（図１では、３つ）の給紙カセット２１〜２３及び搬送部２４等が設けられており、各給紙トレイ２１〜２３には、各種サイズの記録紙（用紙）が、任意の給紙方向で収納される。また、各給紙トレイ２１〜２３には、両面白紙の記録紙（未使用記録紙）と片面記録済の記録紙（片面使用済記録紙）がユーザの意図に応じて収納される。また、手差しトレイ９（給紙段）には、手差しにより記録紙がセットされる。
【００２０】
搬送部２４は、各給紙トレイ２１〜２３に収納されている記録紙を選択的に、図１に矢印で示すように、画像形成ユニット３に搬送する。
【００２１】
上記手差しトレイ６部分には、給紙部６ａが設けられており、給紙部６ａは、手差しトレイ６に載置された記録紙を１枚ずつ分離して画像形成ユニット３に送り出す。
【００２２】
画像形成ユニット３は、レーザ露光部３１、画像形成部３２、定着部３３、両面ドライブ部３４等を備えており、給紙ユニット２の各給紙トレイ２１〜２３または手差しトレイ６から搬送部２４または給紙部６ａにより搬送されてきた記録紙の上面に画像形成部３２で画像形成した後、定着部３３で定着して、本体側面に取り付けられている図示しない排紙トレイまたは両面ドライブ３４に送り出す。
【００２３】
画像形成部３２は、無端ベルト状の転写ベルト３２ｂに沿ってＣ（シアン）、Ｍ（マゼンタ）、Ｙ（イエロー）、Ｂｋ（ブラック）の作像ユニット３２ｂｃ、３２ｂｍ、３２ｂｙ、３２ｂｂが順次配列されており、転写ベルト３２ｂは、一対の支持ローラ３２ｃ、テンションローラ３２ｄ及び転写ローラ３２ｅに張り渡されており、図１に矢印で示す時計方向に回転駆動される。上記作像ユニット３２ｂｃ、３２ｂｍ、３２ｂｙ、３２ｂｂは、一対の支持ローラ３２ｃの間に配設されており、テンションローラ３２ｄには、転写ベルト３２ｂ上に残留する残留トナーを除去する転写体クリーニング部３２ｆが配設されている。各作像ユニット３２ｂｃ、３２ｂｍ、３２ｂｙ、３２ｂｂは、番号を付与していないが、それぞれ図１に矢印で示す反時計方向に回転する感光体の周囲に、感光体を一様に帯電させる帯電ローラ、トナーを供給する現像部、感光体上のトナー像を転写ベルト３２ｂに順次重ね合わせて転写させる転写ローラが配設されており、帯電ローラによって一様に帯電された感光体にレーザ露光部３１から各色の画像データに基づいて変調したレーザが対応する色の感光体に照射されて静電潜像が形成されると、該静電潜像の形成された感光体に現像部から対応する色のトナーを供給して各感光体上に対応する色のトナー画像を形成し、該各トナー画像を転写ローラによって転写ベルト３２ａ上に順次重ね合わせてカラートナー画像を形成する。
【００２４】
転写ベルト３２ａの下部には、搬送ベルト３５が配設されており、搬送ベルト３５には、転写ベルト３２ａを挟んで上記転写ローラ３２ｅが配設されていて、転写ベルト３２ａと搬送ベルト３５との間には、給紙ユニット２または手差しトレイ９から送り出されてきた記録紙が、レジストローラ対３６でタイミング調整されて送られてくる。
【００２５】
画像形成部３２は、転写ベルト３２ａ上のトナー画像を、転写ローラ３２ｅの転写電圧によって、搬送ベルト３５との間に搬送されてきた記録紙に転写し、搬送ベルト３５は、トナー画像の転写された記録紙を定着部３３に搬送する。
【００２６】
定着部３３は、トナー画像の転写された記録紙を加熱・加圧して該トナー画像を定着させ、定着部３３の出口に取り付けられている切り替え爪３３ａによって、トナー画像の定着後の記録紙を本体側面に取り付けられている図示しない排紙トレイまたは両面ドライブ３４に送り出す。また、定着部３３の記録紙の出口部分には、記録紙センサ３３ｂが配設されており、定着の完了した記録紙を検出する。
【００２７】
両面ドライブ３４は、上述のようにして片面に印刷されて定着された記録紙の上下面を反転させて、再度、画像形成部３２方向のレジストローラ対３６に送り出して、画像形成部３２に両面印刷を行わせ、あるいは、印刷済の記録紙の上面（画像形成面）を上側にしてフェイスアップトレイ３４ａ上に排出する。
【００２８】
画像読み取りユニット４は、上面部に、コンタクトガラス（透明部材）４１が配設されており、コンタクトガラス４１の下方の画像読み取りユニット４の内部に、図示しない第１キャリッジに搭載されたランプ４２と第１ミラー４３、図示しない第２キャリッジに搭載された第２ミラー４４と第３ミラー４５及びレンズ４６とＣＣＤ（Charge Coupled Device ）４７からなる移動型読み取り部４０と図２に示す固定型の密着型イメージセンサ６０が配設されている。
【００２９】
画像読み取りユニット４の移動型読み取り部４０は、第１キャリッジ及び第２キャリッジが、モータ４８により駆動されて、図１の左右方向である副走査方向に移動し、コンタクトガラス４１上に固定的にセットされた原稿Ｇ（図３参照）を主走査及び副走査して、原稿Ｇの画像を読み取る。
【００３０】
複合装置１は、画像読み取りユニット４の上部にＡＤＦ（Auto Document Feeder）５がコンタクトガラス４１の上面を開閉可能に取り付けられており、ＡＤＦ５は、開くことで、コンタクトガラス４１上に原稿Ｇをセット可能となっていて、コンタクトガラス４１上に原稿Ｇがセットされた状態で閉じられると、該原稿Ｇをコンタクトガラス４１に押しつける圧板の機能をも有している。
【００３１】
ＡＤＦ５は、原稿台５１、給送ローラ５２、給送ベルト５３及び該給送ベルト５３に沿って複数設けられた搬送ローラ５４等が配設されており、画像読み取りユニット４の側面には、ＡＤＦ５によってコンタクトガラス４１上に搬送されて読み取りの完了した原稿Ｇの排紙される原稿排紙トレイ７が取り付けられている。
【００３２】
ＡＤＦ５は、原稿台５１に原稿Ｇがその画像面を上にして原稿束がセットされている状態で、操作部上のスタートキーが押下されると、給送ローラ５２により原稿台５１上にセットされた原稿束の一番下の原稿Ｇから１枚ずつ分離して給送ベルト５３に送り出し、給送ベルト５３に送り出した原稿Ｇを、図２に示す搬送モータ５５によって駆動される搬送ローラ５４で図１の反時計方向に搬送移動される給送ベルト５３によってコンタクトガラス４１上を搬送する。なお、搬送ローラ５４は、複数設けられているが、そのうちの１個の搬送ローラ５４が搬送モータ５５によって駆動される駆動ローラとなって給送ベルト５３を搬送し、その他の搬送ローラ５４が従動ローラとなって給送ベルト５３の搬送に伴って回転して給送ベルト５３の搬送をガイドする。この給送ベルト５３は、外周面が白色に施されており、移動型読み取り部４０及び密着型イメージセンサ６０のシェーディング補正の白基準レベルを提供する。  
【００３３】
また、画像読み取りユニット４の密着型イメージセンサ６０は、図２に示すように、コンタクトガラス４１の下方であって、ＡＤＦ６から送給されてくる原稿Ｇがコンタクトガラス４１に接触する位置付近等の所定位置に配設されており、ＡＤＦ５から搬送されてくる原稿Ｇの画像を読み取る。
【００３４】
密着型イメージセンサ６０は、原稿Ｇの搬送方向に直交する方向（主走査方向）に所定長さにわたって配設されており、この密着型イメージセンサ６０は、１本の密着型イメージセンサで構成されていてもよいし、複数の子密着型イメージセンサが主走査方向に並べられて構成されていてもよいが、複数の子密着型イメージセンサを並べて構成する場合には、各子密着型イメージセンサの繋ぎ目に画像の空白が生じないように接続する必要がある。
【００３５】
そして、コンタクトガラス４１は、少なくとも原稿Ｇ側の面が、平坦面に形成されており、コンタクトガラス４１の平坦面には、図３に示すように、密着型イメージセンサ６０の原稿読み取り位置Ｐ（図４、図５参照）に対応する位置近傍に、凸部７０が形成されている。凸部７０は、各密着型イメージセンサ６０の配置状態と同じ位置関係の位置に形成されている。
【００３６】
この凸部７０は、図４及び図５に示すように、原稿搬送方向の上流側及び下流側が角張った角部（エッジ）を有する長方形状（角帯形状）に形成されている。
【００３７】
この密着型イメージセンサ６０による原稿読み取り位置Ｐの手前には、図４に拡大して示すように、原稿読み取り位置Ｐの原稿挿入側に送り込み搬送ローラ対５６が配設され、給送ベルト５３の下流位置に送り出し搬送ローラ対５７が配設されている。この送り込み搬送ローラ対５６の原稿搬送方向手前位置には、原稿挿入センサ５８が配設されており、送り込み搬送ローラ対５６の原稿搬送方向後方位置には、レジストセンサ５９が配設されている。原稿挿入センサ５８は、ＡＤＦ５の原稿台５１から送られてくる原稿Ｇの先端を検出し、レジストセンサ５９は、送り込み搬送ローラ対５６によって原稿読み取り位置Ｐに搬送される原稿Ｇの先端を検出する。上記給送ベルト５３、搬送ローラ５４、搬送モータ５５、送り込み搬送ローラ対５６及び送り出し搬送ローラ対５７は、全体として原稿Ｇをコンタクトガラス４１に接触させつつ搬送する搬送手段として機能している。
【００３８】
密着型イメージセンサ６０は、図４に示すように、光源６１、レンズ６２及びイメージセンサ６３等が図示しないケーシングに収納されており、光源６１からコンタクトガラス４１を通して原稿読み取り位置Ｐの原稿Ｇに照射して該原稿Ｇで反射された反射光をレンズ６２でイメージセンサ６３に集光してイメージセンサ６３で光電変換することで、原稿の画像（情報）を読み取る。
【００３９】
この原稿読み取り位置Ｐは、図５に示すように、凸部７０の原稿搬送方向下流側であって、原稿Ｇが該凸部７０の原稿搬送方向下流側の角部部分から原稿Ｇの紙質に応じた弾性によって斜めに下降してコンタクトガラス４１の平坦面に着地する着地点までの原稿Ｇがコンタクトガラス４１の上面から浮いている領域内のコンタクトガラス４１の平坦面の位置、すなわち、凸部７０の原稿搬送方向下流側の壁面から原稿Ｇの着地点までの原稿浮き上がり領域内の位置に設定されており、この原稿浮き上がり領域は、原稿Ｇの紙質によって変化するが、原稿Ｇは、如何にこしのない紙質の原稿Ｇであっても凸部７０の原稿搬送方向下流側の壁面に密着してコンタクトガラス４１の平坦面に搬送されるわけではなく、原稿浮き上がり領域を有した状態で、凸部７０の原稿搬送方向下流側の角部からコンタクトガラス４１の平坦面に搬送される。そして、原稿読み取り位置Ｐは、こしのない紙質の原稿Ｇであっても読み取りが可能な原稿浮き上がり領域内に設定される。
【００４０】
また、このように原稿Ｇがコンタクトガラス４１の平坦面から浮いている原稿浮き上がり領域を原稿読み取り位置Ｐとして密着型イメージセンサ６０によって原稿の読み取りを行うため、凸部７０の高さは、密着型イメージセンサ６０のレンズ６２の焦点深度を考慮して、最適な高さに形成されている。すなわち、凸部７０は、高すぎても低すぎても密着型イメージセンサ６０のレンズ６２を通してイメージセンサ６３上に結像される画像のピントがぼけてしまうため、原稿Ｇの紙質がどのような紙質であっても、該ピントがぼけずに、高品質で原稿の読み取りを行うことのできる高さ、例えば、５μｍから１００μｍの範囲で形成されている。
【００４１】
次に、本実施例の作用を説明する。本実施例のデジタル複合装置１は、トナーかすやゴミ等の異物による影響を抑制しつつ高品質で原稿Ｇの画像を読み取る。
【００４２】
すなわち、デジタル複合装置１は、ＡＤＦ５の原稿台５１上に原稿Ｇがセットされて、操作表示部でスタートキーが操作されると、ＡＤＦ５が該原稿台５１上の原稿Ｇを１枚ずつ分離してコンタクトガラス４１上の原稿読み取り位置Ｐに搬送する。デジタル複合装置１は、ＡＤＦ５によって原稿読み取り位置Ｐ方向に搬送されてきた原稿Ｇの先端を原稿挿入センサ５８が検出すると、送り込み搬送ローラ対５６、送り出し搬送ローラ対５７の回転を開始させるとともに、給送ベルト５３の回転を開始させ、さらに、密着型イメージセンサ６０の光源６１を点灯させる。デジタル複合装置１は、その後、原稿Ｇの先端をレジストセンサ５９が検出すると、該レジストセンサ５９の検出に基づいて、原稿Ｇがコンタクトガラス４１上を搬送されて該原稿Ｇの先端が原稿読み取り位置Ｐに到達するタイミングを算出して、該原稿読み取り位置Ｐに原稿Ｇが到達するタイミングから密着型イメージセンサ６０のイメージセンサ６３によって原稿Ｇの読み取りを開始する。
【００４３】
そして、原稿Ｇは、図３に示したように、原稿読み取り面をコンタクトガラス４１側にした状態で、その先端側からコンタクトガラス４１上を滑るように凸部７０に向かって進んで、該凸部７０によってその先端がコンタクトガラス４１の平坦面から離れる方向に持ち上げられ、その後、凸部７０を乗り越えて、原稿Ｇの紙質に応じた傾斜角度で凸部７０の原稿搬送方向下流側の角部からコンタクトガラス４１の平坦面へと着地してコンタクトガラス４１上を搬送される。
【００４４】
このとき、原稿Ｇは、コンタクトガラス４１面を進んで凸部７０方向に進むと、凸部７０に突き当たるが、凸部７０は、その高さが５μｍ〜１００μｍであり、原稿Ｇの先端を突き止めるほどの段差ではない。したがって、原稿Ｇは、凸部７０に引っかかることなく、容易に凸部７０に乗り上げて、原稿読み取り位置Ｐ方向に搬送される。
【００４５】
原稿Ｇは、この凸部７０を登る際に、その原稿読み取り面が該凸部７０の原稿搬送方向上流側の角部部分でこすられる状態となるため、原稿読み取り面に未定着トナーがあったり、ゴミ、埃等の異物が付着していると、該凸部７０の角部部分で擦り取られ、清浄な状態で、原稿読み取り位置Ｐに送られる。
【００４６】
デジタル複合装置１は、原稿Ｇが原稿読み取り位置Ｐに搬送されてくると、密着型イメージセンサ６０の光源６１から原稿Ｇに読み取り光照射して原稿Ｇで反射された反射光をレンズ６２でイメージセンサ６３に集光して、イメージセンサ６３で光電変換することで原稿Ｇの画像の読み取りを行う。
【００４７】
この原稿読み取り位置Ｐは、凸部７０の原稿搬送方向下流側の角部部分から原稿Ｇの紙質に応じた弾性によって斜めに下降してコンタクトガラス４１の平坦面に着地する着地点までの原稿Ｇがコンタクトガラス４１の上面から浮いている領域内のコンタクトガラス４１の平坦面の位置、すなわち、凸部７０の原稿搬送方向下流側の壁面から原稿Ｇの着地点までの原稿浮き上がり領域内の位置に設定されているので、原稿読み取り位置Ｐが原稿Ｇの未到着トナーやゴミ、埃等の異物が付着することを抑制することができ、異物によるスジ状の異常画像を抑制しつつ画像品質の良好な画像を読み取ることができる。
【００４８】
さらに、上述のように、原稿Ｇの原稿読み取り面に未定着トナーやゴミ、埃等の異物が付着していても、凸部７０の原稿搬送方向上流側の角部部分で擦り取られ、清浄な状態となっている。したがって、清浄な原稿面を読み取ることができ、より一層、読み取り画像の画像品質を向上させることができる。
【００４９】
また、原稿読み取り位置Ｐは、こしのない紙質の原稿Ｇであっても読み取りが可能な原稿浮き上がり領域内に設定されており、紙質に影響されることなく、常に、適切かつ高品質で原稿の画像を読み取ることができる。
【００５０】
さらに、凸部７０の高さが、原稿Ｇの紙質がどのような紙質であっても、密着型イメージセンサ６０のレンズ６２の焦点深度を考慮して、ピントがぼけずに高品質で原稿の読み取りを行うことのできる高さ、例えば、５μｍから１００μｍの範囲で形成されている。したがって、原稿Ｇの画像を常に高品質に読みと取ることができる。
【００５１】
このように、本実施例のデジタル複写装置１は、原稿Ｇが搬送されるコンタクトガラス４１の平坦面に、所定幅を有する所定高さの凸部７０が主走査方向に所定長さにわたって形成されていて、該搬送される原稿Ｇが該凸部７０を乗り越えてコンタクトガラス４１の平坦面に接触するまでの間の原稿浮き上がり領域を原稿読み取り位置Ｐとする状態で密着型イメージセンサ６０が配置されている。
【００５２】
したがって、原稿Ｇの読み取り面の汚れ等の異物を凸部７０で削り取って清浄な状態で原稿読み取り位置Ｐに搬送することができるとともに異物が原稿読み取り位置Ｐに堆積したり付着することを防止することができ、加工工数を削減してコストを安価なものとすることができるとともに、読み取り画像の画像品質を向上させることができる。
【００５３】
また、本実施例のデジタル複合装置１は、凸部７０が、５μｍから１００μｍの範囲の高さに形成されているので、原稿Ｇの引っかかりによる紙詰まりを防止しつつ、原稿Ｇの画像を常に高品質に読みと取ることができる。
【００５４】
さらに、本実施例のデジタル複合装置１は、凸部７０が、原稿搬送方向上流側及び下流側の上部に角部を有する角帯形状に形成されているので、原稿Ｇが凸部７０を登る際に、その原稿読み取り面が該凸部７０の原稿搬送方向上流側の角部部分でこすられて、原稿読み取り面に未定着トナーが存在したり、ゴミ、埃等の異物が付着していても、該凸部７０の角部部分で擦り取られ、清浄な状態で、原稿読み取り位置Ｐに送ることができ、より一層画像品質を向上させることができる。
【実施例２】
【００５５】
図６及び図７は、本発明の画像読み取り装置の第２実施例を示す図であり、図６は、本発明の画像読み取り装置の第６実施例を適用したデジタル複写装置のコンタクトガラス及び密着型イメージセンサ部分の斜視図、図７は、図６のコンタクトガラスの平面図である。
【００５６】
なお、本実施例は、上記第１実施例のデジタル複写装置１と同様のデジタル複写装置に適用したものであり、本実施例の説明においては、上記第１実施例と同様の構成部分には同一の符号を付して、その詳細な説明を省略するとともに、図示しない部分についても必要に応じて第１実施例の説明で用いた符号をそのまま用いて説明する。
【００５７】
図６は、デジタル複写装置１の画像読み取りユニット４の密着型イメージセンサ６０の配列状態を示しており、密着型イメージセンサ６０は、コンタクトガラス４１の下方であって、ＡＤＦ６から送給されてくる原稿Ｇがコンタクトガラス４１に接触する位置付近等の所定位置に配設されていて、ＡＤＦ５から搬送されてくる原稿Ｇの画像を読み取る。
【００５８】
密着型イメージセンサ６０は、複数（図６では、５個）の子密着型イメージセンサ６０ａ〜６０ｅで構成されている。密着型イメージセンサ６０の各子密着型イメージセンサ６０ａ〜６０ｅは、副走査方向で所定量位置ずれするとともに原稿Ｇの搬送方向に直交する方向（主走査方向）で所定量重なる状態で主走査方向に延在して千鳥状に配設されている。密着型イメージセンサ６０を構成する子密着型イメージセンサ６０ａ〜６０ｅの数は、５個に限るものではない。本実施例の密着型イメージセンサ６０は、５個の子密着型イメージセンサ６０ａ〜６０ｅが千鳥状に配置されていて、隣り合う子密着型イメージセンサ６０ａ〜６０ｅの端が所定量重なるように配置されているので、画像読み取り領域に空白が空くことがなく、重なり合った部分の画像に関しては、画像処理を行うことで、画像の繋ぎ目が目立たない状態となる。
【００５９】
そして、コンタクトガラス４１は、その平坦面に、図７に示すように、密着型イメージセンサ６０の各子密着型イメージセンサ６０ａ〜６０ｅの原稿読み取り位置Ｐに対応する位置近傍に、子凸部７０ａ〜７０ｅからなる凸部７０が形成されている。すなわち、凸部７０は、各子密着型イメージセンサ６０ａ〜６０ｅの配置状態と同じ位置関係の位置に、子密着型イメージセンサ６０ａ〜６０ｅと同じ数だけの子凸部７０ａ〜７０ｅが形成されている。
【００６０】
この子凸部７０ａ〜７０ｅは、図４及び図５に示した凸部７０の場合と同様に、それぞれが、原稿搬送方向の上流側及び下流側が角張った角部（エッジ）を有する長方形状（角帯形状）に形成されている。
【００６１】
子密着型イメージセンサ６０ａ〜６０ｅは、図４に示した密着型イメージセンサ６０と同様に、それぞれ光源６１、レンズ６２及びイメージセンサ６３等が図示しないケーシングに収納されており、光源６１からコンタクトガラス４１を通して原稿読み取り位置Ｐの原稿Ｇに照射して該原稿Ｇで反射された反射光をレンズ６２でイメージセンサ６３に集光してイメージセンサ６３で光電変換することで、原稿の画像を読み取る。
【００６２】
この原稿読み取り位置Ｐは、図５に示したように、それぞれの子凸部７０ａ〜７０ｅの原稿搬送方向下流側であって、原稿Ｇが該子凸部７０ａ〜７０ｅの原稿搬送方向下流側の角部部分から原稿Ｇの紙質に応じた弾性によって斜めに下降してコンタクトガラス４１の平坦面に着地する着地点までの原稿Ｇがコンタクトガラス４１の上面から浮いている領域内のコンタクトガラス４１の平坦面の位置、すなわち、子凸部７０ａ〜７０ｅの原稿搬送方向下流側の壁面から原稿Ｇの着地点までの原稿浮き上がり領域内の位置に設定されいる。
【００６３】
また、このように原稿Ｇがコンタクトガラス４１の平坦面から浮いている原稿浮き上がり領域を原稿読み取り位置Ｐとして子密着型イメージセンサ６０ａ〜６０ｅによって原稿の読み取りを行うため、子凸部７０ａ〜７０ｅの高さは、上記第１実施例の場合と同様に、子密着型イメージセンサ６０ａ〜６０ｅのレンズ６２の焦点深度を考慮して、５μｍ〜１００μｍ等の最適な高さに形成されている。
【００６４】
そして、本実施例のデジタル複写装置１は、上述のように、凸部７０の子凸部７０ａ〜７０ｅと密着型イメージセンサ６０の子密着型イメージセンサ６０ａ〜６０ｅが千鳥状に配設されているおり、原稿Ｇが、原稿読み取り面をコンタクトガラス４１側にした状態で、その先端側からコンタクトガラス４１上を滑るように子凸部７０ａ〜７０ｅに向かって進んで、該子凸部７０ａ〜７０ｅによってその先端がコンタクトガラス４１の平坦面から離れる方向に持ち上げられ、その後、子凸部７０ａ〜７０ｅを乗り越えて、原稿Ｇの紙質に応じた傾斜角度で子凸部７０ａ〜７０ｅの原稿搬送方向下流側の角部からコンタクトガラス４１の平坦面へと着地してコンタクトガラス４１上を搬送される。
【００６５】
そして、子凸部７０ａ〜７０ｅは、主走査方向に１列に配設されているのではなく、千鳥状に配設されているため、原稿Ｇの先端の全領域が同じタイミングで子凸部７０ａ〜７０ｅに到達せず、原稿Ｇの先端が、たとえ一部の子凸部７０ａ〜７０ｅで引っかかったとしても、他の先端部分が、子凸部７０ａ〜７０ｅ以外のコンタクトガラス４１の平坦面を通過してないるため、該コンタクトガラス４１の平坦面を通過する先端部に引きつられる状態で、原稿Ｇ全体が引っかかりを起こすことなく、より一層容易にかつ適切に子凸部７０ａ〜７０ｅに乗り上げる。
【００６６】
このように、本実施例のデジタル複合装置１は、コンタクトガラス４１上に、主走査方向に所定長さを有する複数の子凸部７０ａ〜７０ｅが、原稿搬送方向に所定量位置ズレした状態で主走査方向に千鳥状に形成されており、該子凸部７０ａ〜７０ｅの数だけの子密着型イメージセンサ６０ａ〜６０ｅが、該各子凸部７０ａ〜７０ｅの形成する原稿浮き上がり領域を原稿読み取り位置Ｐとする状態で配置されている。
【００６７】
したがって、原稿搬送時に原稿Ｇの先端が凸部７０に引っ掛かって、原稿詰まりの原因になることを防止して、原稿Ｇの搬送をスムースに行って紙詰まりの発生を防止することができるとともに、異物による画像品質の悪化を防止して、加工工数を削減してコストを安価なものとすることができるとともに、読み取り画像の画像品質を向上させることができる。
【００６８】
なお、上記各実施例において、凸部７０や子凸部７０ａ〜７０ｅは、その形状が図４及び図５に示したような原稿搬送方向の上流側及び下流側が角張ったエッジを有する長方形状（帯形状）に限るものではなく、例えば、図８に示すように、原稿搬送方向の上流側及び下流側がなだらかな麓となっている山形状（丘陵形状）となっている凸部７１であってもよい。
【００６９】
このようになだらかな山形状の凸部７１をコンタクトガラス４１に形成した場合にも、原稿読み取り位置Ｐを、図８に示すように、凸部７１の原稿搬送方向下流側であって、原稿Ｇが該凸部７１から原稿Ｇの紙質に応じた弾性によって斜めに下降してコンタクトガラス４１の平坦面に着地する着地点までの原稿Ｇがコンタクトガラス４１の上面から浮いている領域内のコンタクトガラス４１の平坦面の位置、すなわち、凸部７１の原稿搬送方向下流側の壁面から原稿Ｇの着地点までの原稿浮き上がり領域内の位置に設定する。
【００７０】
このような山形状の凸部７１であっても、原稿Ｇは、原稿搬送方向下流側において、該凸部７１の形状に沿ってコンタクトガラス４１の表面に降りるのではなく、原稿Ｇのこしの強さ（紙質）に応じて、凸部７１の壁面から離れた状態で斜めに下降し、原稿浮き上がり領域が形成される。そして、原稿読み取り位置Ｐは、この原稿浮き上がり領域に設定されている。
【００７１】
このような山形状の凸部７１をコンタクトガラス４１に形成すると、凸部７１に搬送されてくる原稿Ｇは、その先端が凸部７１に引っかかることをより一層防止することができ、原稿Ｇの搬送性能を向上させて、読み取り性能を向上させることができる。
【００７２】
なお、山形状の凸部７１を形成する場合にも、その高さを密着型イメージセンサ６０や子密着型イメージセンサ６０ａ〜６０ｅのレンズ６２の焦点深度を考慮した最適な高さに形成する。
【００７３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７４】
本発明は、位置固定されている光学読み取り手段で搬送される原稿の画像を読み取る画像読み取り装置に利用することができる。
【図面の簡単な説明】
【００７５】
【図１】本発明の第１実施例を適用したデジタル複写装置の正面概略構成図。
【図２】図１のコンタクトガラス及び密着型イメージセンサ部分の斜視図。
【図３】図２のコンタクトガラスの平面図。
【図４】図３の読み取り部の側面拡大図。
【図５】図４のコンタクトガラスの凸部部分の拡大側面図。
【図６】本発明の第２実施例を適用したデジタル複写装置のコンタクトガラス及び密着型イメージセンサ部分の斜視図。
【図７】図６のコンタクトガラスの平面図。
【図８】凸部が山形状のコンタクトガラスの凸部部分の拡大側面図。
【符号の説明】
【００７６】
１  デジタル複写装置
２  給紙ユニット
３  画像形成ユニット
４  画像読み取りユニット
５  ＡＤＦ
６  手差しトレイ
６ａ  給紙部
７  原稿排紙トレイ
２１〜２３  給紙カセット
２４  搬送部
３１  レーザ露光部
３２  画像形成部
３２ｂ  転写ベルト
３２ｂｃ、３２ｂｍ、３２ｂｙ、３２ｂｂ  作像ユニット
３２ｃ  支持ローラ
３２ｄ  テンションローラ
３２ｅ  転写ローラ
３２ｆ  転写体クリーニング部
３３  定着部
３３ａ  切り替え爪
３４  両面ドライブ部
３５  搬送ベルト
３６  レジストローラ対
４０  移動型読み取り部
４１  コンタクトガラス
４２  ランプ
４３  第１ミラー
４４  第２ミラー
４５  第３ミラー
４６  レンズ
４７  ＣＣＤ
４８  モータ
５１  原稿台
５２  給送ローラ
５３  給送ベルト
５４  搬送ローラ
５６  送り込み搬送ローラ対
５７  送り出し搬送ローラ対
５８  原稿挿入センサ
５９  レジストセンサ
６０  密着型イメージセンサ
６０ａ〜６０ｅ  子密着型イメージセンサ
６１ａ〜６１ｅ  光源
６２ａ〜６２ｅ  レンズ
６３ａ〜６３ｅ  イメージセンサ
７０  凸部
７０ａ〜７０ｅ  子凸部
７１  凸部
１００  ＰＢＸ
２００  外部装置
Ｇ  原稿
Ｐ  原稿読み取り位置
【図１】
2009225203.tif 000003
【図２】
2009225203.tif 000004
【図３】
2009225203.tif 000005
【図４】
2009225203.tif 000006
【図５】
2009225203.tif 000007
【図６】
2009225203.tif 000008
【図７】
2009225203.tif 000009
【図８】
2009225203.tif 000010